(57)【要約】【課題】ゲル状物質と芯軸との密着性を高めることで軸筒部分の美観を向上させるとともに、芯軸が金属製である場合であっても、グリップ色のくすみを防止する。【解決手段】塗布物を内蔵する軸筒11の把持部17に設けられる軸筒11のグリップ構造20であって、内側に塗布物を収容する芯軸13の外側に設けられ該芯軸13を直接被覆する内被体21と、前記内被体21の外側を覆う外被体23と、前記内被体21と外被体23との間に充填される自己形状保持可能なゲル状物質25とを備えるとともに、前記内被体21は前記芯軸13の材質よりも前記ゲル状物質25との親和性が高い材質にて形成される。芯軸13は金属製であるとともに、前記内被体21は光線非透過性の材質で形成されている。【選択図】図３
2007283703.tif 000002
【特許請求の範囲】
【請求項１】
塗布物を内蔵する軸筒の把持部に設けられる軸筒のグリップ構造であって、
内側に塗布物を収容する芯軸の外側に設けられ該芯軸を直接被覆する内被体と、
前記内被体の外側を覆う外被体と、
前記内被体と外被体との間に充填される自己形状保持可能なゲル状物質とを備えるとともに、
前記内被体は前記芯軸の材質よりも前記ゲル状物質との親和性が高い材質にて形成されたことを特徴とする軸筒のグリップ構造。
【請求項２】
前記芯軸は金属製であるとともに、
前記内被体は光線非透過性の材質で形成されていることを特徴とする請求項１記載の軸筒のグリップ構造。
【請求項３】
前記内被体は白色であるとともに、前記ゲル状物質及び前記外被体は光線透過性に形成されていることを特徴とする請求項２記載の軸筒のグリップ構造。
【請求項４】
前記内被体は着色されているとともに、前記ゲル状物質及び前記外被体は光線透過性であることを特徴とする請求項２記載の軸筒のグリップ構造。
【請求項５】
前記内被体は光線透過性であるとともに、前記芯軸が内被体に覆われている部位には表示が施されており、前記ゲル状物質及び前記外被体は光線透過性であることを特徴とする請求項１記載の軸筒のグリップ構造。
【請求項６】
前記芯軸の先端近傍の一部及び後端近傍の一部のうち少なくとも一方は前記内被体に覆われずに該芯軸の表面が露出していることを特徴とする請求項１、２、３、４又は５記載の軸筒のグリップ構造。
【請求項７】
前記内被体の後端近傍には外周に沿って外方に突出して前記外被体の内側に接触する鍔状のセンタリング部材が設けられていることを特徴とする請求項１、２、３、４、５又は６記載の軸筒のグリップ構造。
【請求項８】
前記内被体は前記芯軸表面に塗装により形成されていることを特徴とする請求項１、２、３、４、５、６又は７記載の軸筒のグリップ構造。
【請求項９】
前記内被体は前記芯軸表面にインサート成形により形成されることを特徴とする１、２、３、４、５、６又は７記載の軸筒のグリップ構造。
【請求項１０】
前記内被体の外径は、前端から後端にかけ僅かに拡径していることを特徴とする請求項９記載の軸筒のグリップ構造。
【請求項１１】
内側に塗布物を収容する芯軸の外側に設けられ該芯軸を直接被覆する内被体と、
前記内被体の外側を覆う外被体と、
前記内被体と外被体との間に充填される自己形状保持可能なゲル状物質とを備えるとともに、
前記内被体は前記芯軸の材質よりも前記ゲル状物質との親和性が高い材質にて形成された軸筒のグリップ構造を軸筒の把持部に設けたことを特徴とする筆記具。
【請求項１２】
内側に塗布物を収容する芯軸の外側に設けられ該芯軸を直接被覆する内被体と、
前記内被体の外側を覆う外被体と、
前記内被体と外被体との間に充填される自己形状保持可能なゲル状物質とを備えるとともに、
前記内被体は前記芯軸の材質よりも前記ゲル状物質との親和性が高い材質にて形成された軸筒のグリップ構造を軸筒の把持部に設けたことを特徴とする塗布具。
【発明の詳細な説明】
【技術分野】
【０００１】
本発明は、筆記具又は塗布具に採用されるグリップ構造及びそのようなグリップ構造を備える筆記具又は塗布具に関する。
【背景技術】
【０００２】
筆記具や塗布部において、流動性を有する液状物質をグリップ部分に封入することで把持感の向上を図ることは下記の特許文献１記載の発明に開示されている。同発明では、軸胴部と外被体との間の空間に、流動性を有する液状物質を封入することとしている。このような、流動性を有する液状物質は、その流動性によりグリップ部分を把持した際に指で圧力をかけられた部分から逃げ、外被体と軸胴部との間には液状物質がなくなり、軸筒の金属製の軸部分に指が当たって痛みを感ずる等、把持感の向上が発揮できないこともあった。
これに対し、筆記具又は塗布具の軸筒のグリップ部分に自己形状保持可能なゲルを使用する技術として特許文献２記載のものがある。これによると、ゲル状物質は指が当たった部分は変形はするものの、芯軸部分から逃げることはなく、ゲル状物質の緩衝効果が損なわれないこととなっている。
【特許文献１】特許第３０２４７３１号公報
【特許文献２】特開２００４−２９１６１２号公報
【発明の開示】
【発明が解決しようとする課題】
【０００３】
上記特許文献２記載の発明においては、自己形状保持可能なゲル状物質と芯軸とは密着はしているものの接着ないし固定されているわけではないので、外力で変形した際にゲル状物質及び外被体が芯軸表面から剥離して気泡が混入することがある。ゲル状物質を光線透過性に形成した場合には、このような気泡が外部から視認可能となり気泡部分と密着部分とがまだらに見えることで美観上芳しくなかった。
また、芯軸がステンレスパイプや真鍮パイプのような金属製の場合、外被体やゲル状物質を通して芯軸の色がほの見えてしまうため、グリップの色がくすんで見える、という問題点がある。
【０００４】
上記問題点に鑑み、本発明は、ゲル状物質と芯軸との密着性を高めることで軸筒部分の美観を向上させることを第１の課題とする。
また、本発明は、上記第１の課題に加え、芯軸が金属製である場合であっても、グリップ色のくすみを防止することを第２の課題とする。
さらに、本発明は、上記第２の課題に加え、グリップ色のくすみの改善効果を高めることを第３の課題とする。
また、本発明は、上記第２の課題に加え、グリップ色のくすみを押さえつつ色のバリエーションを広げることを第４の課題とする。
【０００５】
さらに、本発明は、上記第１の課題に加え、グリップ部分の表示態様のバリエーションを広げることを第５の課題とする。
また、本発明は、上記第１、第２、第３、第４又は第５の課題に加え、筆記具の組み付け性を高めることを第６の課題とする。
さらに、本発明は、上記第１、第２、第３、第４、第５又は第６の課題に加え、成形性を向上させることを第７の課題とする。
また、本発明は、上記第１、第２、第３、第４、第５、第６又は第７の課題に加え、グリップ構造の製造を容易にすることを第８の課題とする。
【課題を解決するための手段】
【０００６】
（１）第１の発明
前記第１の課題に鑑み、本発明のうち第１の発明は、塗布物を内蔵する軸筒11の把持部17に設けられる軸筒11のグリップ構造20であって、内側に塗布物を収容する芯軸13の外側に設けられ該芯軸13を直接被覆する内被体21と、前記内被体21の外側を覆う外被体23と、前記内被体21と外被体23との間に充填される自己形状保持可能なゲル状物質25とを備えるとともに、前記内被体21は前記芯軸13の材質よりも前記ゲル状物質25との親和性が高い材質にて形成されたことを特徴とする。
ここで、「塗布物」とは、塗布されるべき面に塗布される物質をいい、具体的には、筆記具10に使用されるインク、芯、絵の具等及び塗布具に使用される化粧品、修正液、接着剤、薬剤等をいう。なお、ここでいう筆記具10は、使用される塗布物に応じて、ボールペン、シャープペンシル、フェルトペン、サインペン等様々な態様のものが可能である。
【０００７】
また、「軸筒11」とは、上記のような塗布物を内蔵する筆記具10又は塗布具の構造部分のことをいう。ここで、軸筒11が塗布物を内蔵する態様としては、軸筒11自体が塗布物を直接収容する場合と、塗布物を収容したリフィルあるいはカートリッジを収納する場合とがあり得る。
「把持部17」とは、軸筒11において手指で直接把持される部分をいう。
「芯軸13」とは、その内側に塗布物を収容する構造をいう。ここで、芯軸13が塗布物を収容する態様としては、芯軸13自体が塗布物を直接収容する場合と、塗布部とを収容したリフィルあるいはカートリッジを収容する場合とがあり得る。このうち、前者の場合においては、「軸筒11」が「芯軸13」と一致することとなる。
【０００８】
「内被体21」とは、芯軸13の外側面を直接被覆する構造をいう。
「外被体23」とは、内被体21の外側を、所定の間隔をもって覆う構造をいう。
「ゲル状物質25」とは、内被体21と外被体23との間に充填される物質であって、化学的又は物理的な高分子間の架橋作用により、ポリマーが液体を含有した状態で立体網目状構造を取り、かつ、ゲル状物質25そのものが自己形状保持可能に形成されたものをいう。ここで、「自己形状保持可能」とは、流動性を備えない粘弾性体であって、押圧力のような外力により容易に変形するが、その外力を除くと元の形に復元することを意味する。
またここで、「架橋」とは、ゾル状物質の分子間に何らかの化学的力を働かせることで、流動性を低下させることをいう。このその化学的力を発生させる条件は、原料となるゾル状物質の種類により異なる。たとえば、所定温度に加熱することによりゾル状物質の架橋化が促進される場合には、このような温度に加熱することが条件となる。また、特に何もしなくても所定時間以上放置することで架橋化が進行する場合には、このような時間放置することが条件となる。
【０００９】
このような自己形状保持可能なゲル状物質25を、筆記具10や塗布具の把持部17に設けることにより、低い硬度で成形が可能になり、かつ、把持部17を把持した際に、前記ゲル状物質25は容易に変形するため、指とグリップ部の接触面積が増加することで把持圧が適度に分散され、把持感の向上や長時間使用における疲労低減の効果を提供することが可能になる。
また、筆記具10や塗布具の把持部17に流動性を有する液状物質を用いた場合に比較して、自己形状保持可能なゲル状物質25は、把持した時に変形はするが流動はしないという特性を持つ。このため、把持した指は外被体23を介して直接芯軸13に当たることなく、常にゲル状物質25の快適な触感を感じることが可能になり、把持力の強弱の個人差があっても、良好な把持感及び長時間使用における疲労低減の効果を得ることが可能となる。さらに、前記ゲル状物質25は自己形状保持が可能なため、使用中に外被体23を傷付けたとしてもゲル状物質25が漏れ出すことはない。
【００１０】
本発明においては、上記内被体21は、芯軸13の材質よりも、ゲル状物質25との親和性の高い材質で形成される。ここでいう親和性とは、たとえば、ゲル状物質25が珪素を含有する構造である場合には、内被体21をシリコーン樹脂で形成するように、化学的構造が共通していることをいう。これにより、外力で変形した際にゲル状物質25が芯軸13表面から剥離しにくくなり、気泡の混入も減少する。そして、ゲル状物質25を光線透過性に形成した場合には、このような気泡による美観上の不具合も解消されることとなる。
また、上記のようなグリップ構造20を把持部17に備えた筆記具10又は塗布具、すなわち、内側に塗布物を収容する芯軸13の外側に設けられ該芯軸13を直接被覆する内被体21と、前記内被体21の外側を覆う外被体23と、前記内被体21と外被体23との間に充填される自己形状保持可能なゲル状物質25とを備えるとともに、前記内被体21は前記芯軸13の材質よりも前記ゲル状物質25との親和性が高い材質にて形成された軸筒11のグリップ構造20を軸筒11の把持部17に設けたことを特徴とする筆記具10又は塗布具においては、上述のようなゲル状物質25による把持感の向上や長時間使用における疲労低減の効果を提供するのみならず、ゲル状物質25の変形による芯軸13表面との剥離に伴う気泡の混入も減少させることができる。
【００１１】
（２）第２の発明
前記第２の課題に鑑み、本発明のうち第２の発明に係る軸筒11のグリップ構造20は、前記第１の発明の特徴に加え、前記芯軸13は金属製であるとともに、前記内被体21は光線非透過性の材質で形成されていることを特徴とする。
すなわち、芯軸13の材質がステンレス鋼あるいは真鍮のような金属製である場合には、自己形状保持可能なゲル状物質25を通して芯軸13の色がほの見えてしまうため、グリップの色がくすんで見えることがあるが、本第２の発明によれば、光線非透過性の内被体21により芯軸13の色がマスキングされることで、グリップ色のくすみが解消されることとなる。
【００１２】
また、前記第１の発明に係る筆記具10又は塗布具において、前記芯軸13は金属製であるとともに、前記内被体21は光線非透過性の材質で形成されていることとすると、光線非透過性の内被体21により芯軸13の色がマスキングされることで、グリップ色のくすみが解消されることとなる。
（３）第３の発明
前記第３の課題に鑑み、本発明のうち第３の発明に係る軸筒11のグリップ構造20は、前記第２の発明の特徴に加え、前記内被体21は白色であるとともに、前記ゲル状物質25及び前記外被体23は光線透過性に形成されていることを特徴とする。
【００１３】
ここで、「光線透過性」とは、具体的には無色透明、無色半透明、着色透明又は着色半透明のいずれかをいう。
すなわち、内被体21を光線非透過性の材質で白色とすれば、光線透過性のゲル状物質25を通して芯軸13の色が透過することがないので、グリップ色のくすみはより改善されることとなる。
また、前記第２の発明に係る筆記具10又は塗布具において、前記内被体21は白色であるとともに、前記ゲル状物質25及び前記外被体23は光線透過性に形成されていることとすると、光線透過性のゲル状物質25を通して芯軸13の色が透過することがないので、グリップ色のくすみはより改善されることとなる。
【００１４】
（４）第４の発明
前記第４の課題に鑑み、本発明のうち第４の発明に係る軸筒11のグリップ構造20は、前記第２の発明の特徴に加え、前記内被体21は着色されているとともに、前記ゲル状物質25及び前記外被体23は光線透過性であることを特徴とする。
すなわち、外被体23及びゲル状物質25を通して内被体21の色が視認できることになり、グリップ色のくすみを改善しつつ、様々なグリップ色のバリエーションを実現することができる。
また、前記第２の発明に係る筆記具10又は塗布具において、前記内被体21は着色されているとともに、前記ゲル状物質25及び前記外被体23は光線透過性であることとすると、外被体23及びゲル状物質25を通して内被体21の色が視認できることになり、グリップ色のくすみを改善しつつ、様々なグリップ色のバリエーションを実現することができる。
【００１５】
（５）第５の発明
前記第５の課題に鑑み、本発明のうち第５の発明に係る軸筒11のグリップ構造20は、前記第１の発明の特徴に加え、前記内被体21は光線透過性であるとともに、前記芯軸13が内被体21に覆われている部位には表示が施されており、前記ゲル状物質25及び前記外被体23は光線透過性であることを特徴とする。
ここで、「表示」とは、文字、記号、図柄、模様等により視覚的効果を発揮することをいい、具体的には、印刷、転写印刷又はシール貼り付けなどにより実現される。
すなわち、芯軸13に印刷、転写印刷又はシール貼り付けなどにより何らかの表示をしたい場合であっても、かかる表示は内被体21によってゲル状物質25と隔てられているため、外被体23を通して軸筒11の印刷又は転写印刷又はシールが視認できるとともに、印刷インキ成分あるいは接着剤等の化学物質がゲル状物質25の架橋作用を阻害する心配がない。
【００１６】
また、前記第１の発明に係る筆記具10又は塗布具において、前記内被体21は光線透過性であるとともに、前記芯軸13が内被体21に覆われている部位には表示が施されており、前記ゲル状物質25及び前記外被体23は光線透過性であることとすると、芯軸13に施された表示は内被体21によってゲル状物質25と隔てられているため、外被体23を通して軸筒11の印刷又は転写印刷又はシールが視認できるとともに、印刷インキ成分あるいは接着剤等によるゲル状物質25の効果阻害の心配がない。
（６）第６の発明
前記第６の課題に鑑み、本発明のうち第６の発明に係る軸筒11のグリップ構造20は、前記第１、第２、第３、第４又は第５の発明の特徴に加え、前記芯軸13の先端近傍の一部及び後端近傍の一部のうち少なくとも一方は前記内被体21に覆われずに該芯軸13の表面が露出していることを特徴とする。
【００１７】
すなわち、ゲル状物質25が配置される芯軸13部分において、筆記具10又は塗布具の組み付けに関わる部分、たとえば先端近傍で前ネジ管14（継手あるいは口金が螺着される構造）を装着する部分であるとか、あるいは後端近傍で後軸12が螺着される部分においては、内被体21による被覆がないことが望ましい。
よって、上記芯軸13部分において、先端近傍の一部若しくは後端近傍の一部又はこれらの両方には、内被体21による被覆がなされず、芯軸13表面を露出させることとしている。
また、前記第１、第２、第３、第４又は第５の発明に係る筆記具10又は塗布具において、前記芯軸13の先端近傍の一部及び後端近傍の一部のうち少なくとも一方は前記内被体21に覆われずに該芯軸13の表面が露出していることとすると、芯軸13とその前後の部材との組み付けを妨げないこととなる。
【００１８】
（７）第７の発明
前記第７の課題に鑑み、本発明のうち第７の発明に係る軸筒11のグリップ構造20は、前記第１、第２、第３、第４、第５又は第６の発明の特徴に加え、前記内被体21の後端近傍には外周に沿って外方に突出して前記外被体23の内側に接触する鍔状のセンタリング部材22が設けられていることを特徴とする。
ここで、「センタリング部材22」とは、外被体23の軸心を軸筒11の軸心と一致させるための部材で、充填されるゲル状物質25が外被体23の中で偏らないようにすることを目的としている。
【００１９】
このセンタリング部材22を内被体21の一部として形成すると、外被体23にセンタリング部材22を形成することが不要となり外被体23の形状を簡素化することができ、金型構造の簡素化を図ることができる。
また、前記第１、第２、第３、第４、第５又は第６の発明に係る筆記具10又は塗布具において、前記内被体21の後端近傍には外周に沿って外方に突出して前記外被体23の内側に接触する鍔状のセンタリング部材22が設けられていることとすると、外被体23にセンタリング部材22を形成することが不要となり外被体23の形状を簡素化することができ、金型構造の簡素化を図ることができる。
【００２０】
（８）第８の発明
前記第８の課題に鑑み、本発明のうち第８の発明は、前記第１、第２、第３、第４、第５、第６又は第７の発明の特徴に加え、前記内被体21は前記芯軸13表面に塗装により形成されていることを特徴とする。
たとえば、芯軸13表面に、シリコーン塗料を塗布することで、この部分を内被体21とすることができる。
また、前記第１、第２、第３、第４、第５、第６又は第７の発明に係る筆記具10又は塗布具において、前記内被体21は前記芯軸13表面に塗装により形成されていることとすると、内被体21を容易に形成することができる。
【００２１】
（９）第９の発明
前記第８の課題に鑑み、本発明のうち第９の発明は、前記第１、第２、第３、第４、第５、第６又は第７の発明の特徴に加え、前記内被体21は前記芯軸13表面にインサート成形により形成されることを特徴とする。
すなわち、金型内に芯軸13を挿入し、その表面にたとえばシリコーンゴムによるインサート成形を施すことで、内被体21を形成することとなっている。このインサート成形を採用することにより、内被体21を薄肉に設計することが可能となっており、軸筒11を細身に形成したい場合であっても、ゲル状物質25層の厚みを十分確保することができる。
【００２２】
なお、インサート成形により内被体21を形成する場合には、前記内被体21の外径は、前端から後端にかけ僅かに拡径しているように設計することが望ましい。このように設計することで、金型を抜きテーパにすることができるので、割型にする必要がなく、内被体21表面の割線バリが解消できるとともに、金型の取り数も減少させることができる。
また、前記第１、第２、第３、第４、第５、第６又は第７の発明に係る筆記具10又は塗布具において、前記内被体21は前記芯軸13表面にインサート成形により形成されることとすると、金型を抜きテーパにすることができるので、割型にする必要がなく、内被体21表面の割線バリが解消できるとともに、金型の取り数も減少させることができる。
【発明の効果】
【００２３】
本発明は、上記のように構成されているので、以下に記す効果を奏する。
すなわち、本発明のうち第１の発明によると、ゲル状物質と芯軸との密着性を高めることで軸筒部分の美観を向上させることが可能となる。
また、本発明のうち第２の発明によると、上記第１の発明の効果に加え、芯軸が金属製である場合であっても、グリップ色のくすみを防止することが可能となる。
さらに、本発明のうち第３の発明によると、上記第２の発明の特徴に加え、グリップ色のくすみの改善効果を高めることが可能となる。
また、本発明のうち第４の発明によると、上記第２の発明の特徴に加え、グリップ色のくすみを押さえつつ色のバリエーションを広げることが可能となる。
【００２４】
さらに、本発明のうち第５の発明によると、上記第１の発明の特徴に加え、グリップ部分の表示態様のバリエーションを広げることが可能となる。
また、本発明のうち第５の発明によると、上記第１、第２、第３、第４又は第５の発明の特徴に加え、筆記具の組み付け性を高めることが可能となる。
さらに、本発明のうち第７の発明によると、上記第１、第２、第３、第４、第５又は第６の発明の特徴に加え、成形性を向上させることが可能となる。
また、本発明のうち第８及び第９の発明によると、上記第１、第２、第３、第４、第５、第６又は第７の発明の特徴に加え、グリップ構造の製造を容易にすることが可能となる。
【発明を実施するための最良の形態】
【００２５】
以下、図面に基づき本発明の実施の形態について説明する。
図１は本発明の実施の形態に係る筆記具10としてのシャープペンシルの一部断面側面図である。また、図２は把持部17における内被体21の平面図（Ａ）並びに芯軸13及び内被体21を一部断面で示した側面図（Ｂ）である。さらに、図３は把持部17の一部断面側面図である。
なお、筆記具や塗布具としてはシャープペンシルに限定されず、ボールペン、筆ペン、万年筆等の筆記具、あるいは修正液を収容した塗布具等が可能である。
また、本明細書において、前方とはペン先側方向であり、後方とは反ペン先側方向である。
【００２６】
本実施の形態においては、筆記具10としてのシャープペンシルの把持部17が、下記のようなグリップ構造20となっている。
軸筒11は、軸方向において先端側に配置される芯軸13と後端側に配置される後軸12の２部品により構成される。芯軸13と後軸12は螺着により相互に固定されることで、軸筒11を形成している。
芯軸13は、ステンレス鋼製の円筒形を呈している（図２（Ｂ）参照）。この芯軸13内部には、塗布体としての芯19が収納される（図１参照）。
芯軸13の外周表面には、図２（Ｂ）に示すように、内被体21が被覆されている。内被体21は、白色のシリコーン製であり、ステンレス鋼製の芯軸13表面に、インサート成形により形成される。内被体21は、先端から後端にかけて僅かに拡径している。これにより、金型を抜きテーパにすることができる。また、内被体21後端近傍には、図２（Ａ）に示すように、１２０°間隔で等配された３枚の同一形状の鍔状構造が設けられている。これらは、図３に示すように、外被体23の後端部分を芯軸13に対してセンタリングするためのセンタリング部材22として機能する。
【００２７】
また、図３に示すように、内被体21を覆うように外被体23が設けられている。外被体23の前端部内面には環状凸部24が設けられており、これを内被体21の先端部に当接させている。さらに後端部内面は、内被体21のセンタリング部材22の周縁と当接することでセンタリングされている。また、外被体23後端部外周は外径を減じており、この部分に、後軸12の先端と当接するリング部材18が装着されることとなっている（図１参照）。
一方、芯軸13の前端には内被体21が被覆されておらず、ここに前ネジ管14が装着される（図３参照）。そして、図１に示すように、この前ネジ管14に口金16が螺着されている。ここで、口金16の後端は外被体23の先端と当接している。
【００２８】
また、芯軸13の後端にも内被体21は被覆されておらず、ここには後ネジ管15が装着される（図１参照）。そして、図１に示すように、この後ネジ管15に後軸12が螺着される。
そして、前記芯軸13と外被体23が内被体21を介して固定されることにより形成される内被体21と外被体23の間の空間には、自己形状保持可能なゲル状物質25が内蔵されている。
外被体23は、弾性材であれば材質は問わず、シリコーンゴム、ウレタンゴム、エチレンプロピレンゴムなどのような弾性材も使用可能であるが、特にシリコーンゴムが望ましい。
ゲル状物質25は自己形状が保持できるものならば、材質は問わず、シリコーンゲル、アクリルゲル、ウレタンゲルなどのいずれのゲル状物質も使用可能であるが、特にシリコーンゲルが望ましい。このようなゲル状物質の市販品の例としては、株式会社ジェルテック製の「αＧＥＬ」（登録商標）が挙げられる。
【００２９】
本実施の形態における芯軸13部分の組み付け方法としては、内被体21がインサート成形された芯軸13の前方から外被体23を、内被体21のセンタリング部材22に外被体23内面が当接するまで差し込むだけでよい。
そして、ゲル状物質25が、内被体21のセンタリング部材22間に形成された間隙から注入される。すなわち、図示しない注入ノズルをセンタリング部材22間の隙間から差し込み、注入ノズルを介してゲル状物質25を注入する。注入ノズルは１本であってもよいし、複数本であってもよいが、複数本にすることで注入時間を短縮できる利点がある。ゲル状物質25は注入する段階ではまだゾル状で流動性を呈しており、注入後に室温で放置するか又は加温することで硬化し、自己形状保持が可能となる。このようなゲル状物質25の代表例としては、次式のようなものがある。
【００３０】
ＲＲ12ＳｉＯ−(Ｒ22ＳｉＯ)nＳｉＲ12Ｒ（式１）
（ただし、Ｒはアルケニル基であり、Ｒ1は脂肪族不飽和結合を有しない一価の炭化水素であり、Ｒ2は一価の脂肪族炭化水素基（Ｒ2の少なくとも５０モル％はメチル基であり、アルニケル基を有する場合にはその含有率は１０モル％以下である）であり、ｎはこの成分の２５℃における粘度が１００〜１０，０００ｃＳｔになるような数である。）
上記式１に示すゲル状物質25は、ジオルガノポリシロキサン（Ａ成分）と、２５℃における粘度が５，０００ｃＳｔ以下であり、１分子中に少なくともＳｉ原子に直接結合した水素原子を有するオルガノハイドロジェンポリシロキサン（Ｂ成分）とからなり、かつジオルガノハイドロジェンポリシロキサン（Ｂ成分）中のＳｉ原子に直接結合している水素原子の合計量に対するジオルガノポリシロキサン（Ａ成分）中に含まれるアルニケル基の合計量の比（モル比）が０．１〜２．０になるように調整された混合物を硬化させることにより得られる付加型シリコーンコポリマーである。
【００３１】
上記式１に示すゲル状物質25の硬化反応は、触媒を用いて行い、前記触媒としては、白金系触媒が望ましく、その例として、微細砕元素状白金、塩化白金酸、酸化白金、白金とオレフィンとの錯塩、白金アルコラート及び塩化白金酸とビニルシロキサンとの錯塩等を挙げることができる。
上記に挙げた、Ａ成分、Ｂ成分及び触媒を混合した後に、注入ノズルにより、内被体21と外被体23との間の空間へ流動性を有しているゲル状物質25を注入する。この空間がゲル状物質25で満たされた後は、室温に放置するか、あるいは加温することにより硬化させることで、ゲル状物質25は自己形状を保持可能となる。
【００３２】
上記の化学構造により、ゲル状物質25は内被体21と化学構造が類似しており、ステンレス鋼製の後軸13よりも内被体21との親和性が高く、密着性も良好である。
上述の内被体21、ゲル状物質25及び外被体23により、グリップ構造20が形成されることとなる。
そして、上述のゲル状物質25を、着色透明ないし着色半透明にした場合、白色内被体21により芯軸13の金属色がマスキングされ、ゲル状物質25の色彩がそのまま表現できることとなる。
【産業上の利用可能性】
【００３３】
本発明は、筆記具又は塗布具のグリップ部分に利用可能である。
【図面の簡単な説明】
【００３４】
【図１】本発明の実施の形態に係る筆記具としてのシャープペンシルの一部断面側面図である。
【図２】把持部における内被体の平面図（Ａ）並びに芯軸及び内被体を一部断面で示した側面図（Ｂ）である。
【図３】把持部の一部断面側面図である。
【符号の説明】
【００３５】
10  筆記具                11  軸筒                  12  後軸
13  芯軸                  14  前ネジ管              15  後ネジ管
16  口金                  17  把持部                18  リング部材
19  芯
20  グリップ構造          21  内被体                22  センタリング部材
23  外被体                24  環状凸部              25  ゲル状物質
【図１】
2007283703.tif 000003
【図２】
2007283703.tif 000004
【図３】
2007283703.tif 000005
【手続補正書】
【提出日】平成19年4月26日(2007.4.26)
【手続補正１】
【補正対象書類名】明細書
【補正対象項目名】００２４
【補正方法】変更
【補正の内容】
【００２４】
さらに、本発明のうち第５の発明によると、上記第１の発明の特徴に加え、グリップ部分の表示態様のバリエーションを広げることが可能となる。
また、本発明のうち第６の発明によると、上記第１、第２、第３、第４又は第５の発明の特徴に加え、筆記具の組み付け性を高めることが可能となる。
さらに、本発明のうち第７の発明によると、上記第１、第２、第３、第４、第５又は第６の発明の特徴に加え、成形性を向上させることが可能となる。
また、本発明のうち第８及び第９の発明によると、上記第１、第２、第３、第４、第５、第６又は第７の発明の特徴に加え、グリップ構造の製造を容易にすることが可能となる。
【手続補正２】
【補正対象書類名】明細書
【補正対象項目名】００３０
【補正方法】変更
【補正の内容】
【００３０】
ＲＲ12ＳｉＯ−(Ｒ22ＳｉＯ)nＳｉＲ12Ｒ（式１）
（ただし、Ｒはアルケニル基であり、Ｒ1は脂肪族不飽和結合を有しない一価の炭化水素であり、Ｒ2は一価の脂肪族炭化水素基（Ｒ2の少なくとも５０モル％はメチル基であり、アルケニル基を有する場合にはその含有率は１０モル％以下である）であり、ｎはこの成分の２５℃における粘度が１００〜１０，０００ｃＳｔになるような数である。）
上記式１に示すゲル状物質25は、ジオルガノポリシロキサン（Ａ成分）と、２５℃における粘度が５，０００ｃＳｔ以下であり、１分子中に少なくともＳｉ原子に直接結合した水素原子を有するオルガノハイドロジェンポリシロキサン（Ｂ成分）とからなり、かつＢ成分中のＳｉ原子に直接結合している水素原子の合計量に対するジオルガノポリシロキサン（Ａ成分）中に含まれるアルケニル基の合計量の比（モル比）が０．１〜２．０になるように調整された混合物を硬化させることにより得られる付加型シリコーンコポリマーである。